(57)【特許請求の範囲】
【請求項１】
ポジトロン放出断層撮影法で検出されるパルスの開始時間を推定する方法であって、
約５１１ＫｅＶのエネルギーを有する光子を検出し、それに応答してアナログパルス信号を生成するための検出器を提供することと、
該検出器によって生成されたアナログパルス信号を表すようにモデル曲線を選択することであって、該モデル曲線は、該モデル曲線を特定するために選択可能な少なくとも１つの調節可能なパラメータを有する、ことと、
該検出器によって生成されたアナログパルス信号を受信することと、
振幅を有するデジタルパルス信号を生じるように、該受信されたアナログパルス信号をデジタル化することと、
該デジタルパルス信号の計算された面積に基づき、該デジタルパルス信号の振幅を正規化することと、
該少なくとも１つの調節可能なパラメータを特定し、これにより、該受信されたアナログパルス信号を表すように該モデル曲線を特定するために、該正規化されたデジタルパルス信号の少なくとも１点を使用することと、
該受信されたアナログパルス信号の開始時間を推定するために該特定された曲線を使用することと、
該受信されたアナログパルス信号の該推定された開始時間を表す、タイムスタンプを記録することと
を含む、方法。
【請求項２】
前記モデル曲線は、所定の立ち上がり時定数を有する第１の指数関数部分と、所定の減衰時定数を有する第２の指数関数部分とを含む、請求項１に記載の方法。
【請求項３】
前記受信されたアナログパルス信号は、シリコン光電子倍増管によって生成される、請求項１に記載の方法。
【請求項４】
曲線を特定するために、前記正規化されたデジタルパルス信号の少なくとも１点を使用するステップは、前記モデル曲線を特定するために、該正規化されたデジタルパルス信号の最も早い点のみを使用することを含む、請求項１に記載の方法。
【請求項５】
ローパスフィルタを用いて、前記受信されたアナログパルス信号をフィルタにかけるステップをさらに含む、請求項１に記載の方法。
【請求項６】
前記検出器は、光電子倍増管と、アバランシェフォトダイオードと、シリコン光電子倍増管とのうちの１つに連結されるシンチレータ結晶を含む、請求項１に記載の方法。
【請求項７】
フロントエンド電子機器を提供するステップをさらに含み、該フロントエンド電子機器は、前記受信されたアナログパルスをデジタル化するためのアナログ−デジタル変換器と、前記デジタルパルス信号を処理するフィールドプログラマブルゲートアレイとを備える、請求項１に記載の方法。
【請求項８】
前記受信されたアナログパルス信号の前記推定された開始時間の分解能は、該受信されたアナログ信号をデジタル化するために使用されるサンプル時間より小さい、請求項７に記載の方法。
【請求項９】
ポジトロン放出断層撮影法で一致ペアを識別する方法であって、
複数の検出器のうちのいくつかが相互の視野内に配置されるように、環状に配列された複数の検出器を用いて、複数の光子を検出し、各検出された光子に応答して、アナログパルス信号を生成することと、
該検出器によって生成されたアナログパルス信号を表すように、モデル曲線を選択することであって、該モデル曲線は、該モデル曲線を特定するために選択可能な少なくとも１つの調節可能なパラメータを有する、ことと、
振幅を有するデジタルパルス信号を生じるように、該アナログパルス信号をデジタル化することと、
該デジタルパルス信号の計算された面積に基づき、各デジタルパルス信号の振幅を正規化することと、
該少なくとも１つの調節可能なパラメータを特定し、これにより、該アナログパルス信号を表すように該モデル曲線を特定するために、該正規化されたデジタルパルス信号の少なくとも１点を使用することと、
各アナログパルス信号に対する該アナログパルス信号の開始時間を推定するために、該特定された曲線を使用することと、
該アナログパルス信号の該推定された開始時間を示すタイムスタンプを記録することと、
一致ペアを識別するように、相互の視野内に配置された検出器からアナログパルス信号のタイムスタンプを比較することと
を含む、方法。
【請求項１０】
前記モデル曲線は、所定の立ち上がり時定数を有する第１の指数関数部分と、所定の減衰時定数を有する第２の指数関数部分とを含む、請求項９に記載の方法。
【請求項１１】
曲線を特定するために、前記正規化されたデジタルパルス信号の少なくとも１点を使用するステップは、前記モデル曲線を特定するために、該正規化されたデジタルパルス信号の最も早い点のみを使用することを含む、請求項９に記載の方法。
【請求項１２】
ローパスフィルタを用いて、前記受信されたアナログパルス信号をフィルタにかけるステップをさらに含む、請求項９に記載の方法。
【請求項１３】
前記検出器は、光電子倍増管と、アバランシェフォトダイオードと、シリコン光電子倍増管とのうちの１つに連結されるシンチレータ結晶を備える、請求項９に記載の方法。
【請求項１４】
フロントエンド電子機器を提供するステップをさらに含み、該フロントエンド電子機器は、前記受信されたアナログパルスをデジタル化するためのアナログ−デジタル変換器と、前記デジタルパルス信号を処理するフィールドプログラマブルゲートアレイとを備える、請求項９に記載の方法。
【請求項１５】
前記受信されたアナログパルス信号の前記推定された開始時間の分解能は、該受信されたアナログ信号をデジタル化するために使用されるサンプル時間より小さい、請求項１４に記載の方法。
【請求項１６】
ポジトロン放出断層撮影法スキャナであって、
環状アレイに配列された複数の検出器であって、各検出器は、少なくとも１つのシンチレータと、少なくとも１つの光電子倍増管とを備える、検出器と、
該検出器の光電子倍増管からアナログ信号を受信するように動作可能であるアナログ−デジタル変換器を備えるフロントエンド電子システムであって、該フロントエンド電子システムは、該受信されたアナログ信号をデジタル信号に変換するアナログ−デジタル変換器と、該デジタル信号を受信し、該アナログ信号の開始時間を計算するフィールドプログラマブルゲートアレイとを含む、フロントエンド電子システムと
を備え、該フィールドプログラマブルゲートアレイは、ｉ）デジタルパルス信号の計算された面積に基づき、各デジタルパルス信号の振幅を正規化することと、ｉｉ）調節可能なパラメータを有するモデル曲線の該調節可能なパラメータを特定し、これにより、アナログパルス信号を表すように該モデル曲線を特定するために、該正規化されたデジタルパルス信号の少なくとも１点を使用することと、ｉｉｉ）各アナログパルス信号に対する該アナログパルス信号の開始時間を推定するために、該特定された曲線を使用することとによって、該アナログ信号の該開始時間を計算する、ポジトロン放出断層撮影法スキャナ。
【請求項１７】
前記少なくとも１つの光電子倍増管のそれぞれは、光電子倍増管、シリコン光電子倍増管、およびアバランシェフォトダイオードのうちの１つを備える、請求項１６に記載のポジトロン放出断層撮影法スキャナ。
【請求項１８】
デジタル化される前に前記アナログ信号をフィルタにかけるフィルタをさらに備える、請求項１６に記載のポジトロン放出断層撮影法スキャナ。
【発明の詳細な説明】
【技術分野】
【０００１】
（関連出願に対する相互参照）
本出願は、２００７年１１月２日出願の米国仮特許出願第６０９８５０８３号の利益を主張し、この仮特許出願の開示は、その全体が本明細書において明示的に援用される。
【背景技術】
【０００２】
（背景）
侵襲性外科手術をせずに生物の内部画像を作成する能力は、過去１００年に渡る医療の主要な進歩である。Ｘ線断層撮影法（ＣＴ）および磁気共鳴画像法（ＭＲＩ）等の撮像技術は、体内の解剖学的組織体の高分解能画像を考察する能力を医師および科学者に与えた。これは、疾患の診断および治療の進歩につながるが、大きな疾患群は、解剖学的組織体の変化を疾患の後期でしか、または全く引き起こさない。これは、生体内の特定の代謝活性を記録する医療画像の分科を生じた。ポジトロン放出断層撮影法（ＰＥＴ）は、この種類の医療画像である。
【０００３】
（ポジトロン放出断層撮影法）
ＰＥＴは、生物内の特定の代謝活性を測定するために、放射性崩壊を活用する医療画像診断法である。ＰＥＴ画像システムは、図１に表す３つの構成要素である、スキャンされる対象者に投与される放射性トレーサーと、（以下で説明するように、間接的に）放射性トレーサーの位置を検出するために動作可能であるスキャナと、断層画像処理システムとを備える。
【０００４】
第１のステップは、放射性同位元素および代謝的活性分子を含む、放射性トレーサー９０を生成し、投与することである。トレーサー９０は、スキャン９１される身体に注射される。トレーサー９０に特定の組織に凝縮するための時間を与えた後、身体９１は、スキャナ９２内部に好適に位置付けされる。ＰＥＴ検査に使用されるとレーザーの放射性崩壊事象は、ポジトロン放出である。放出されたポジトロンは、電子と相互作用するまで、身体組織内で短い距離を移動する。消滅事象におけるポジトロン・電子相互作用は、２つの５１１ＫｅＶ逆並列光子を生成する。スキャナ９２は、消滅事象からの光子の少なくともいくつかを検出するように適合される。
【０００５】
ＰＥＴの第２の構成要素であるスキャナ９２は、５１１ＫｅＶ光子を検出するセンサのリングと、センサにより発生される信号を処理するフロントエンド電子機器とを備える。センサは、典型的には、シンチレータ結晶もしくはシンチレータ９３と、光電子倍増管（ＰＭＴ）、シリコン光電子倍増管（ＳｉＭＰ）、またはアバランシェフォトダイオード（ＡＰＤ）９４とを備える。シンチレータ結晶９３は、５１１ＫｅＶ高エネルギー光子を多くの低エネルギー光子、典型的には、可視光線の光子に変換する。ＰＭＴ、ＳｉＭＰ、またはＡＰＤ９４は、可視光線の光子を検出し、対応する電気パルスを生成する。ＰＭＴパルスは、パラメータ、またはパルスの特性（すなわち、エネルギー、タイミング）を決定するように、フロントエンド電子機器によって処理される。便宜上、本明細書でのＰＭＴの言及は、５１１ＫｅＶ光子等の高エネルギー光子の検出、およびそれに応じて、可視光線光子等の低エネルギー光子の生成ための、任意の機構またはデバイスを備えることを理解されたい。
【０００６】
最後に、データは、データを３Ｄ画像に変える断層画像再構築を実施するホストコンピュータ９５に送信される。
【０００７】
（放射性医薬品）
トレーサー９０を合成するために、短命の放射性同位元素が代謝的活性分子に付加される。短い半減期は、対象者の電離放射線への曝露を低減するが、概して、トレーサー９０がスキャナ近くで生成される必要がある。最も一般的に使用されるトレーサーは、１１０分の半減期を有するグルコースの類似体である、フッ素１８フルオロデオキシグルコース（［Ｆ−１８］ＦＤＧ）である。［Ｆ−１８］ＦＤＧは、グルコースに十分類似するため、グルコースを利用する細胞によってリン酸化されるが、解糖を起こさない。したがって、分子の放射性部分は、組織内閉じ込められる。癌および脳細胞等の多くのグルコースを消費する細胞は、他の組織と比較して、徐々に、より多くの［Ｆ−１８］ＦＤＧを蓄積する。
【０００８】
対象の組織が、十分なトレーサー９０を取り込むために十分な時間が経過した後、放射性減衰事象を検出するために、すなわち、５１１ＫｅＶ光子を検出することにより、スキャナ９２が使用される。ポジトロンが放出される時、電子と共に消滅する前に、典型的には、組織内で数ミリメートル移動し、相互に１８０°±０．２３°で配向される２つの５１１ＫｅＶ光子を生成する。
【０００９】
（光子シンチレーション）
５１１ＫｅＶ光子は、多大なエネルギー量を有し、身体組織を含む、多くの物質を通り抜ける。これは、光子が身体を通過して出ることを可能にするが、高エネルギー光子を検出するのは難しい。光子検出は、シンチレータ９３の作業である。シンチレータ９３は、高エネルギー光子を吸収し、低エネルギー光子、典型的には、可視光線光子を放出する。シンチレータ９３は、プラスチック、有機および無機結晶、ならびに有機液体を含む、様々な物質から作られる。シンチレータの各タイプは、異なる密度、屈折率、タイミング特性、および最大放出波長を有する。
【００１０】
一般的に、シンチレータ結晶の密度は、物質が高エネルギー光子をどの程度止めるかを決定する。シンチレータ結晶の屈折率および放出された光の波長は、結晶からどれだけ容易に光が収集できるかに影響する。放出された光の波長は、効率を最適化するために、光を電気パルス（例えば、ＰＭＴ）に変えるデバイスを用いて一致させる必要もある。シンチレータタイミング特性は、可視光線が最大出力に達するのにかかる時間（立ち上がり時間）と、減衰にかかる時間（減衰時間）を決定する。立ち上がりおよび減衰時間は、これらの２つの時間の合計が長いほど、検出器が所定の時間に処理できる事象の数が減少し、したがって、同じ数を得るのにスキャンはより長くなるため、重要である。また、タイミング特定が長いほど、２つの事象がオーバーラップ（重なる）し、データが消失する可能性が高くなる。
【００１１】
例示的な現代のシンチレータ物質は、無機結晶であるＬｕ２ＳＩｏ５（Ｃｅ）またはＬＳＯである。ＬＳＯは、報告された３０ｐｓの立ち上がり定数と、４０ｎｓの減衰定数を有する。報告された時間は、結晶の幾何学構造およびそれに付加する電子の変形により、わずかに変動し得る。ＬＳＯは、速い応答、および優れた光出力を示す新規のシンチレータ物質である。
【００１２】
（光電子倍増管）
シンチレータ９３は、シンチレータ９３から電子パルスに可視光線光子を変換する電子デバイスに付加される。最も一般的に使用されるデバイスの２つは、ＰＭＴおよびＡＰＤである。ＰＭＴは、光電陰極と、いくつかのダイノードと、非常に低レベルの光を検出できる高ゲインを有する陽極とを備える真空管である。ＡＰＤは、ＰＭＴの半導体の変形である。ＰＥＴスキャナでの使用のために現在研究されている別の技術は、ＳｉＰＭである。ＳｉＰＭは、光子が相互作用し、キャリアを発生させる時に、短い電流パルスが生成されるように、ガイガモードで操作する半導性フォトダイオードのアレイを含む。例示的なＳｉＰＭにおいて、フォトダイオードのアレイは、約１０３ダイオード／ｍｍ２を含む。全てのダイオードは、共通のシリコン基板に連結されるため、アレイの出力は、ダイオードの出力の合計である。したがって、出力は、１つのフォトダイオードが火炎する最小から全てのフォトダイオードが火炎する最大の範囲であり得る。これらがデジタルデバイスから構成されていても、これは、これらのデバイスに直線的出力を与える。
【００１３】
例示的なシステムは、図２に示すように、６つがｘ方向で、６つがｙ方向の１２のチャネルを有するＰＭＴを使用する。個別のチャネルは、事象の位置の正確な決定を可能にする。例えば、事象がＰＭＴの左手上のコーナーで検出された場合、チャネルＹ１およびＸ１は、各連続したより大きいチャネルの数で、段階的により小さい信号を伴う、大きな信号を有する。チャネルＹ６およびＸ６は、事実上、信号を有さない。
【００１４】
十分な同時事象が検出される時、画像再構築が開始され得る。基本的に、検出される事象は、コンピュータ断層撮影法を使用する３Ｄ画像を作製するために使用され得る、応答の平行線（光子ペアの翻訳されたパス）に分離される。
【００１５】
ＰＥＴ、ＭＲＩ、およびＣＴは、全て一般的な医療画像技術であるが、異なる診断法から得られる情報は、かなり異なる。ＭＲＩおよびＣＴは、解剖学的または構造的情報を与える。すなわち、これらは、身体の内部の映像を生成する。これは、骨折、靱帯の裂傷、または異常構造として表されるその他等の支障に最高である。しかしながら、ＭＲＩおよびＣＴは、代謝活性を示さない。これは、ＰＥＴの専門である。代謝的に活性のトレーサーの使用は、ＰＥＴにより生成される画像が機能的または生化学的情報を提供することを意味する。
【００１６】
腫瘍学（癌の研究）は、近年、ＰＥＴの最も一般的な用途である。特定の癌組織は、正常な組織より、より多くのグルコースを代謝する。［Ｆ−１８］ＦＤＧは、癌細胞が容易に吸収するグルコースに十分類似し、したがって、これらは、スキャン中、背景組織と比較して、高い放射性活性を有する。これは、癌が十分に増大してＭＲＩスキャン上で見える前に、ＰＥＴスキャンがいくつかの癌を検出可能にする。トレーサーの取り込み量が治療の進行過程に渡って追跡され得るため、ＰＥＴスキャンの情報は、治療の進行過程の監視に非常に有用でもある。治療後、スキャンが同一の癌組織で低活性を示す場合、治療が効果的であることを示す。
【００１７】
ＰＥＴは、神経学（神経系の研究）および心臓学（心臓の研究）にも有用である。神経学における興味深い用途は、パーキンソン病の早期診断である。トレーサーは、神経伝達物質であるドーパミンを生成する脳の細胞で凝縮するように開発された。パーキンソン病の患者において、ドーパミンを生成する神経細胞は、数が減少する。すなわち、パーキンソン病の患者のスキャンは、健康な患者より少ない活性を有する。パーキンソン病の他の早期症状が他の疾患と類似するため、これは、早期診断につながる。
【発明の概要】
【発明が解決しようとする課題】
【００１８】
ＰＥＴシステムの費用、効率性、および正確度における継続的な向上が必要とされている。
【課題を解決するための手段】
【００１９】
（要旨）
本概要は、以下の発明を実施するための形態でさらに記述される簡略化した形態で、概念の選択を導入するために提供される。本概要は、特許請求される主題の重要な特徴を識別することを意図することも、特許請求される主題の範囲の決定の補助として使用されることも意図しない。
【００２０】
方法は、ポジトロン放出断層撮影法で検出する高エネルギー光子から生成されるパルス等の、電子パルスの開始時間を推定するために開示され、非常に正確な開始時間情報は有益である。検出器は、検出器上の光子発生率等の、外部事象を検出するため、および電子アナログパルス信号を発生させるために提供される。パラメータ化された理想的な曲線形状は、検出器により生成されるアナログパルス信号を表すように選択される。アナログパルス信号の受信において、デジタルパルス信号を発出するために、ＡＤＣを用いてデジタル化される。デジタルパルス信号値の振幅は、次いで、デジタルパルス信号の計算された面積の面積に基づき正規化される。例えば、デジタルパルス信号を含むカウント値は、正規化された曲線面積に対する計算された面積の割合により規準化されてもよい。正規化されたパルス信号からの少なくとも１点を使用して、パラメータ化された理想的な曲線形状からの曲線が、受信されたアナログパルス信号の開始時間を推定するために使用される。一般的に、開始時間は、デジタルパルス信号の点の中間であることを理解されたい。アナログパルス信号のためのタイムスタンプは、そのとき、記録されてもよい。
【００２１】
一実施形態において、パラメータ化された理想的な曲線形状は、所定の立ち上がり時定数を有する、第１の指数関数部分と、所定の減衰時定数を有する、第２の所定の減衰時定数とを含む。
【００２２】
本発明の一実施形態において、アナログパルス信号は、シリコン光電子倍増管により発生される。
【００２３】
本発明の一実施形態において、デジタルパルス信号の第１点のみが、曲線を特定するために使用される。
【００２４】
本発明の一実施形態において、アナログパルス信号は、信号のデジタル化前に、ローパスフィルタを用いてフィルタにかけられる。
【００２５】
本発明の一実施形態において、逆引きは、１つ以上のルックアップテーブルが、一連の正規化された信号点振幅の開始時間推定を保持する時に使用される。
【００２６】
本発明の一実施形態において、検出器は、光電子倍増管の１つに連結されるシンチレータ結晶と、アバランシェフォトダイオードと、シリコン光電子倍増管とを備える。
【００２７】
本発明の前述の側面および多くの付随する利点は、同様が付属の図面と併用して、以下の発明を実施するための形態を参照することにより、より良く理解されるように、より容易に理解されるだろう。
本明細書は、例えば、以下も提供する。
（項目１）
検出された事象に応答して生成される電子パルスの開始時間を推定する方法であって、該方法は、
外部事象を検出し、電子アナログパルス信号を生成することによって該検出された事象に応答する検出器を提供することと、
該検出器によって生成されたアナログパルス信号を表すようにパラメータ化された理想的な曲線形状を選択することと、
該検出器によって生成されたアナログパルス信号を受信することと、
振幅を有するデジタルパルス信号を生じるように、該受信されたアナログパルス信号をデジタル化することと、
該デジタルパルス信号の計算された面積に基づき、該デジタルパルス信号の振幅を正規化することと、
該受信されたアナログパルス信号を表すように該パラメータ化された理想的な曲線形状から曲線を特定するために、該正規化されたデジタルパルス信号の少なくとも１点を使用することと、
該受信されたアナログパルス信号の該開始時間を推定するために、該特定された曲線を使用することと、
該受信されたアナログパルス信号の該推定された開始時間を示すタイムスタンプを記録することと
を含む、方法。
（項目２）
上記パラメータ化された理想的な曲線形状は、所定の立ち上がり時定数を有する第１の指数関数部分と、所定の減衰時定数を有する第２の指数関数部分とを含む、項目１に記載の方法。
（項目３）
上記受信されたアナログパルス信号は、シリコン光電子倍増管によって生成される、項目１に記載の方法。
（項目４）
曲線を特定するために、上記デジタルパルス信号の少なくとも１点を使用するステップは、曲線を特定するために、該デジタルパルス信号の第１点のみを使用することを含む、項目１に記載の方法。
（項目５）
ローパスフィルタを用いて、上記受信されたアナログパルス信号をフィルタにかけることをさらに含む、項目１に記載の方法。
（項目６）
上記パラメータ化された理想的な曲線形状から曲線を特定するために、上記正規化されたデジタルパルス信号を使用するステップは、逆引きを含み、１つ以上のルックアップテーブルは、一組の正規化された信号点振幅に対する開始時間推定を保持する、項目１に記載の方法。
（項目７）
上記検出器は、光電子倍増管と、アバランシェフォトダイオードと、シリコン光電子倍増管とのうちの１つに連結されるシンチレータ結晶を備える、項目１に記載の方法。
（項目８）
ポジトロン放出断層撮影法で検出されるパルスの開始時間を推定する方法であって、
約５１１ＫｅＶのエネルギーを有する光子を検出し、それに応答してアナログパルス信号を生成するための検出器を提供することと、
該検出器によって生成されたアナログパルス信号を表すように、パラメータ化された理想的な曲線形状を選択することと、
該検出器によって生成されたアナログパルス信号を受信することと、
振幅を有するデジタルパルス信号を生じるように、該受信されたアナログパルス信号をデジタル化することと、
該デジタルパルス信号の計算された面積に基づき、該デジタルパルス信号振幅を正規化することと、
該受信されたアナログパルス信号を表すように、該パラメータ化された理想的な曲線形状から曲線を特定するために、該正規化されたデジタルパルス信号の少なくとも１点を使用することと、
該受信されたアナログパルス信号の該開始時間を推定するために該特定された曲線を使用することと、
該受信されたアナログパルス信号の該推定した開始時間を表す、タイムスタンプを記録するステップと
を含む、方法。
（項目９）
上記パラメータ化された理想的な曲線形状は、所定の立ち上がり時定数を有する第１の指数関数部分と、所定の減衰時定数を有する第２の指数関数部分とを含む、項目８に記載の方法。
（項目１０）
上記受信されたアナログパルス信号は、シリコン光電子倍増管によって生成される、項目８に記載の方法。
（項目１１）
曲線を特定するために、上記デジタルパルス信号の少なくとも１点を使用するステップは、曲線を特定するために、該デジタルパルス信号の第１点のみを使用することを含む、項目８に記載の方法。
（項目１２）
ローパスフィルタを用いて、上記受信されたアナログパルス信号をフィルタにかけるステップをさらに含む、項目８に記載の方法。
（項目１３）
上記パラメータ化された理想的な曲線形状から曲線を特定するために、上記正規化されたデジタルパルス信号を使用するステップは、逆引きを含み、１つ以上のルックアップテーブルは、一組の正規化された信号点振幅の開始時間推定を保持する、項目８に記載の方法。
（項目１４）
上記検出器は、光電子倍増管と、アバランシェフォトダイオードと、シリコン光電子倍増管とのうちの１つに連結されるシンチレータ結晶を含む、項目８に記載の方法。
（項目１５）
フロントエンド電子機器を提供するステップをさらに含み、該フロントエンド電子機器は、上記受信されたアナログパルスをデジタル化するためのアナログ−デジタル変換器と、上記デジタルパルス信号を処理するフィールドプログラマブルゲートアレイとを備える、項目８に記載の方法。
（項目１６）
上記受信されたアナログパルス信号の上記推定開始時間の分解能は、該受信されたアナログ信号をデジタル化するために使用されるサンプル時間より小さい、項目１５に記載の方法。
（項目１７）
ポジトロン放出断層撮影法で一致ペアを識別する方法であって、
複数の検出器のうちのいくつかが相互の視野内に配置されるように、環状に配列された複数の検出器を用いて、複数の光子を検出し、各検出された光子に応答して、アナログパルス信号を生成することと、
該検出器によって生成されたアナログパルス信号を表すように、パラメータ化された理想的な曲線形状を選択することと、
振幅を有するデジタルパルス信号を生じるように、該アナログパルス信号をデジタル化することと、
該デジタルパルス信号の計算された面積に基づき、各デジタルパルス信号の振幅を正規化することと、
該アナログパルス信号を表すように、該パラメータ化された理想的な曲線形状から曲線を特定するために、該正規化されたデジタルパルス信号の少なくとも１点を使用することと、
各アナログパルス信号に対する該アナログパルス信号の開始時間を推定するために、該特定された曲線を使用することと、
該アナログパルス信号の該推定開始時間を示すタイムスタンプを記録することと、
一致ペアを識別するように、相互の視野内に配置された検出器からアナログパルス信号のタイムスタンプを比較することと
を含む、方法。
（項目１８）
上記パラメータ化された理想的な曲線形状は、所定の立ち上がり時定数を有する第１の指数関数部分と、所定の減衰時定数を有する第２の指数関数部分とを含む、項目１７に記載の方法。
（項目１９）
曲線を特定するために、上記デジタルパルス信号の少なくとも１点を使用するステップは、曲線を特定するために、該デジタルパルス信号の第１点のみを使用することを含む、項目１７に記載の方法。
（項目２０）
ローパスフィルタを用いて、上記受信されたアナログパルス信号をフィルタにかけるステップをさらに含む、項目１７に記載の方法。
（項目２１）
上記パラメータ化された理想的な曲線形状から曲線を特定するために、上記正規化されたデジタルパルス信号を使用するステップは、逆引きを含み、１つ以上のルックアップテーブルは、一組の正規化された信号点振幅に対する開始時間推定を保持する、項目１７に記載の方法。
（項目２２）
上記検出器は、光電子倍増管と、アバランシェフォトダイオードと、シリコン光電子倍増管とのうちの１つに連結されるシンチレータ結晶を備える、項目１７に記載の方法。
（項目２３）
フロントエンド電子機器を提供するステップをさらに含み、該フロントエンド電子機器は、上記受信されたアナログパルスをデジタル化するためのアナログ−デジタル変換器と、上記デジタルパルス信号を処理するフィールドプログラマブルゲートアレイとを備える、項目１７に記載の方法。
（項目２４）
上記受信されたアナログパルス信号の上記推定開始時間の分解能は、該受信されたアナログ信号をデジタル化するために使用されるサンプル時間より小さい、項目２３に記載の方法。
（項目２５）
ポジトロン放出断層撮影法スキャナであって、
環状アレイに配列された複数の検出器であって、各検出器は、少なくとも１つのシンチレータと、少なくとも１つの光電子倍増管とを備える、検出器と、
該検出器光電子倍増管からアナログ信号を受信するように動作可能であるアナログ−デジタル変換器を備えるフロントエンド電子システムであって、該フロントエンド電子システムは、該受信されたアナログ信号をデジタル信号に変換するアナログ−デジタル変換器と、該デジタル信号を受信し、該アナログ信号の該開始時間を計算するフィールドプログラマブルゲートアレイとを含む、フロントエンド電子システムと
を備え、該フィールドプログラマブルゲートアレイは、ｉ）該デジタルパルス信号の計算された面積に基づき、各デジタルパルス信号の振幅を正規化することと、ｉｉ）該アナログパルス信号を表すように、パラメータ化された理想的な曲線形状から曲線を特定するために、該正規化されたデジタルパルス信号の少なくとも１点を使用することと、ｉｉｉ）各アナログパルス信号に対する該アナログパルス信号の該開始時間を推定するために、該特定された曲線を使用することとによって、該アナログ信号の該開始時間を計算する、スキャナ。
（項目２６）
上記少なくとも１つの光電子倍増管のそれぞれは、光電子倍増管、シリコン光電子倍増管、およびアバランシェフォトダイオードのうちの１つを備える、項目２５に記載のポジトロン放出断層撮影法スキャナ。
（項目２７）
デジタル化される前に上記アナログ信号をフィルタにかけるフィルタをさらに備える、項目２５に記載のポジトロン断層法スキャナ。
【図面の簡単な説明】
【００２８】
【図１】図１は、本発明に従うＰＥＴスキャナシステムを示す、環境図である。
【図２】図２は、ｘ方向の６つのチャネルと直交ｙ方向の６つのチャネルを備える例示的な１２チャネルＰＭＴの出力チャネルを図示する。
【図３】図３は、本発明に従う、高分解能ＰＥＴスキャナの一実施形態のフロントエンド電子機器の構造を示すブロック図である。
【図４】図４は、本発明に従う、高分解能ＰＥＴスキャナの第２の実施形態のフロントエンド電子機器の構造を示すブロック図である。
【図５】図５は、本発明の方法を使用する７０ＭＨｚのサンプル速度用のパルスのタイムスタンプの差異の分布を示す。
【図６】図６は、フィルタされたパルスとパルスの振幅との間の相関を示し、相関の有望な直線適合推定を表す。
【図７】図７は、パルスの各点の位置の参照として（反転された）フィルタにかけられたパルスを表す線と共に、７０ＭＨｚ  ＡＤＣを用いてサンプルが取られ、フィルタにかけられたパルスの点の標準偏差のプロットである。
【図８】図８は、図４に示すシステムのＦＰＧＡに導入されるタイミングピックオフ回路の構造を示す、ブロック図である。
【発明を実施するための形態】
【００２９】
（詳細な説明）
本発明に従うＰＥＴシステムの特定の実施形態の説明は、ここで、同様の番号が同様の部分を示す図を参照して説明される。図１を参照すると、高分解能スキャナ９２が、シンチレータ９３とＰＭＴ９４とを含む検出器と共に開示される。センサデータは、ローパスフィルタ９６を用いてフィルタにかけられ、アナログ・デジタル変換器９７を用いてデジタル化され、デジタル化されたデータは、フィールドプログラマブルゲートアレイ（ＦＰＧＡ）９８を用いて初期処理される。
【００３０】
ＰＭＴ９４により生成されるアナログパルスは、ＰＥＴ画像を作製するために使用される情報を含む。アナログパルスは、正確な開始時間、位置、および総エネルギーに処理される。本初期処理を実施するための装置は、フロントエンド電子機器と呼ばれ、フィルタ９６と、ＡＤＣ９７と、ＦＰＧＡ９８とを備える。ＰＭＴ９４から受信されたアナログパルスは、ノイズを除去するためにローパスフィルタ９６を用いてフィルタにかけられ、次いで、ＦＰＧＡ９８によって処理するために、ＡＤＣ９７を用いてデジタル化される。いくつかの現代ＡＤＣは、最大４００メガサンプル／秒（ＭＳＰＳ）の速度でサンプルが取れるが、本発明の実施形態では、７０ＭＳＰＳでサンプルを取るシリアルＡＤＣ９７が選択される。本選択は、ＰＥＴ設計の複雑さ、費用、および電力消費量を著しく低減する。別の考慮点は、ＦＰＧＡ９８への入力数である。非常に速いＡＤＣは、数十から数百のチャネル／ＦＰＧＡを備える、１０〜１２ビット／チャネルを必要とする平行出力を有する。入力数は、したがって、現代のＦＰＧＡが処理できる量を上回る。したがって、本発明のシステムは、サンプル速度を約１００ＭＳＰＳに制限する、シリアル出力ＡＤＣ９７を使用する。しかしながら、少ないＡＤＣ／ＦＰＧＡを必要とするシステムにおいて、より速いＡＤＣが、より優れたタイミング分解能を達成するために使用され得る。
【００３１】
アナログパルスデータがデジタル化された後、必要なパルスパラメータがＦＰＧＡ９８に抽出される。例えば、総パルスエネルギーは、パルス値のサンプルを加算し、基準値（入力パルスを除くＡＤＣ９７の出力値）を引くことにより得られてもよい。
【００３２】
パルスの開始時間は、一致ペア、すなわち、単一消滅事象から生じる２つの検出される光子を決定するために重要である。消滅事象により生成される多くの光子は、スキャナ９２により検出されないことを、当業者により理解されるだろう。例えば、発生した光子は、身体組織に吸収されるか、または分散されるかのいずれかであってもよい、もしくはシンチレータ９３を横切らないパスを移動してもよい。検出された光子のパスが、検出された光子間の線上に実質的にあることがそのときに分かるため、ＰＥＴ画像作成は、消滅事象の両方の光子を検出する必要がある。２つの放出された光子の１つだけがスキャナ９２により検出される場合、事象がどこで生じたかを決定する方法はない。２つの検出された光子が一致ペアである場合、これらは、相互の特定時間内に検出されなければならなく、かつ検出器のそれぞれは、一方の視野内に位置しなければならない。
【００３３】
例示的な高分解能の小型動物ＰＥＴスキャナが組み立てられ、これは、環状の１８の検出器カセットを含み、各カセットは、４つのＰＭＴ９４に連結される、４つのシンチレータ９３アレイを有する。各検出器カセットは、専用の一連のフロントエンド電子機器に連結される。
【００３４】
例示的な小型動物スキャナのフロントエンド電子機器１００の概略ブロック図を図３に示す。フロントエンド電子機器１００は、マイクロプロセッサ１０２と、ＦＰＧＡ１０４ペアとを備える、多数の「ノード」（２つを示す）を含む。各ノードは、２つのＰＭＴ１０６を支持する。全てのノードは、ホストコンピュータ（示さず）への接続を作製するために、例えば、ＦｉｒｅＷｉｒｅ（登録商標）実行等の、ＩＥＥＥ１３９４ａインターフェースを使用する、標準の高速通信インターフェース１０８を使用して、一緒にデイジー鎖接続される。ホストコンピュータは、全ノードからのデータを収集して、処理するソフトウエアを含む。データは、所望の画像を生成するために、オフラインで、引き続き処理される。
【００３５】
図３に示すように、フロントエンド電子機器１００に対して多くの個別部品がある。ＰＭＴ１０６は、シンチレータ結晶（図３に示さず）からの光を検出し、対応するアナログパルスを生成する。各ＰＭＴ１０６は、６つがｘ方向で、６つがｙ方向の１２の信号を出力する（図２を参照のこと）。本発明の実施形態において、入力／出力数を低減するために、１２の信号は、加算基板１１０を用いて、４つに削減される。ＡＳＩＣ１１２は、検出された事象の時間を決定するために、データを受信し、アルゴリズムを実行する。信号は、ＡＤＣ１１４によりデジタル化され、ＦＰＧＡ１０４に送信される。一致ユニット１０９は、一致であってもよい事象のペアを識別し、さらなる処理に明らかに有用ではない事象を取り除くために、任意に提供される。
【００３６】
ＦＰＧＡ１０４に加え、ホストコンピュータへの通信のために使用される、マイクロプロセッサ１０２（本実施形態では、Ｒａｂｂｉｔ（登録商標）マイクロコントローラ）および通信インターフェース物理層チップ１０８がある。ＦＰＧＡ１０４およびマイクロプロセッサ１０２は、データ取得において、中心的な役割を担う。マイクロプロセッサ１０２は、各個々のノードの標準的な制御を提供する。これは、ＦＰＧＡ１０４の構成、ホストコンピュータとの通信、システムの初期化、およびシステムを調整するためのＦＰＧＡ１０４との作業を含む。マイクロプロセッサ１０２がシステムの制御を扱うが、ＦＰＧＡ１０４は、大量のデータパスを作り上げる。正常な操作中、ＦＰＧＡ１０４は、通信インターフェース１０８のために、パルス処理およびデータパッキングの２つの主な作業を有する。パルス処理において、第１のステップは、所定の事象が、スキャナ９２のもう一方側での別の事象と同時であるかを決定するステップである。合致する場合、同時事象が検出され、パルスは、エネルギーを決定するために記録され、粗分解能タイムスタンプは、データ上に記入される。エネルギーおよび時間（ＦＰＧＡからの粗粒子、およびＡＳＩＣからの微細粒子）は、通信インターフェース１０８を通じて、ホストコンピュータに送信される。
【００３７】
時折、スキャナ９２は、ＡＳＩＣ１１２の振幅器ゲインを設定するために、調整される必要がある。これは、シンチレータ結晶９３が異なる光出力および光収集効率を有し、ＰＭＴ１０６が異なるゲイン特性を有するため、必要とされる。調整は、センサ間の差異を正規化し、経時的なドリフトを補正する。スキャナを調整するために、マイクロプロセッサ１０２は、調整アルゴリズムを使用してＦＰＧＡ１０４を再構成し、各パルスのエネルギー値をビンに区分するためにＦＰＧＡ１０４を初期化する。残念ながら、シンチレータ結晶配列９３およびＰＭＴ１０６の外周縁近くの縁効果は、調整アルゴリズムにエラーを生じさせる可能性があり、したがって、無視される。結晶配列の縁にぶつかる事象を取り除くために、事象の位置が認識されなければならない。加算基板１１０によってもたらされる４つの信号は、結晶配列９３の事象の位置を決定するために十分な情報を含む。
【００３８】
いったん事象がシンチレータ結晶配列９３の対象領域にあることが決定されると、事象の総エネルギーが計算され、異なるエネルギー区分に収容される。これは、（５１１ＫｅＶ光子からの全エネルギーがシンチレータ結晶に堆積される時に、エネルギーを表すため）光電ピークと称されるピークを有するエネルギーの柱状グラフを作製する。光電ピーク以下の数は、光子のエネルギーの一部のみが結晶に堆積されるか、または光子コンプトンが結晶に達する前に、撮像される対象で分散するかのいずれかである、散乱光子を表す。
【００３９】
システムが調整される場合、光電ピークは、全ての検出器に対して並ぶはずである。ピークがいくつかの変形を有する場合、マイクロプロセッサがゲインを変更し、調整アルゴリズムを再実行する。これは、全て自動であるため、いったんオペレータが機械自体で調整するように指示すると、マイクロプロセッサ１０２は、調整アルゴリズムを調整するようにＦＰＧＡ１０４に指示する。いったんＦＰＧＡ１０４が、ルーチンが完了したことを合図すると、マイクロプロセッサ１０２は、メモリから柱状グラフを読み、光電ピークを位置付ける。光電ピークが変化すると、マイクロプロセッサ１０２は、ＡＳＩＣ１１２のゲインを調節し、全センサの光電ピークが並ぶまで反復する。
【００４０】
図４に図示されるＰＥＴスキャンシステムの第２の実施形態において、光電子倍増管デバイス１４４は、センサごとに使用されるチャネル数を大幅に増大する、結晶につき１出力を有する、固体素子ＳｉＰＭである。図４は、本第２実施形態のフロントエンド電子機器１５０を示す、概略ブロック図である。本第２実施形態において、専用シリアライザ／デシリアライザ、および位相ロックループを使用して容易に通信可能な、Ｓｔｒａｔｉｘ（登録商標））ＩＩ  ＥＰＳ６０ＦＰＧＡ１４８、および７０ＭＨｚシリアルＡＤＣ１４７が選択された。本実施形態において、大半のフロントエンド電子機能は、非常に簡潔でよりコンパクトな構造を提供する、ＦＰＧＡ１４８により実行される。当該分野でよく知られるように、明らかに他のフィルタが使用されてもよいが、フィルタ１４６は、単純なＲＣフィルタとして示される。
【００４１】
ＰＥＴシステムフロントエンド用途に見事に適合させる、これらのより現代的なＦＰＧＡ１４８の他の側面がある。例えば、Ｒａｂｂｉｔ（登録商標）マイクロプロセッサ１０２は、ＦＰＧＡ１４８のＮｉｏｓ（登録商標）ＩＩ１５２ソフトコア組み込みプロセッサと取り替えられ、図３に示す構造のＦＰＧＡ１０４とマイクロプロセッサ１０２との間の低通信速度を排除する。図４を図２と比較することにより明白であるように、本第２実施形態スキャナのフロントエンド電子機器１５０構造は、組み込まれたプロセッサ１５２に加え、タイミングピックオフ論理１５４と、エネルギー計算論理１５６と、ＦｉｒｅＷｉｒｅ（登録商標）コア１５８とを備える、ＦＰＧＡ１４８への部品の一体化により、よりコンパクトである。
【００４２】
多数のチャネルを有する別の重要性は、それぞれのチャネル用のタイミングＡＳＩＣを有するために必要な費用およびボード空間が、非常に高いものとなることである。これは、ＦＰＧＡ１４８内部で完了タイミングを実行するためのアルゴリズムの開発をもたらした。
【００４３】
高品質のＰＥＴ画像の重要な目的は、シンチレータ結晶９３と相互作用する光子のタイミングを正確に決定するためである。タイミング分解能は、良好な事象として認められる非同時事象の数と直接相関する。本第２実施形態において、タイミングは、サンプルデータを用いたＦＰＧＡ１４８で達成され、チャネルあたりのＡＳＩＣの必要性を排除する。
【００４４】
タイミングピックオフの性能指数は、タイムスタンプの分布である。言い換えれば、光源が正確にこれらの間の中心に置かれるように（光子が同時に両方の検出器に達するように）２つの検出器を設定するために、本出願人らは、各検出器のタイムスタンプ間の差異の分布を分析する。理想的なシステムにおいて、タイムスタンプ間の差異は、ゼロである。しかしながら、システムのノイズは、エラーを生じる。これをシミュレートするために、同一パルスの多数の異なるサンプル採取のために、タイムスタンプが計算される。図５に示すように、各パルスのタイムスタンプは、それからタイムスタンプの差異の分布１６０を生成するために、全ての他のパルスのタイムスタンプと比較される。
【００４５】
シンチレータ９３と相互作用する光子のタイミングを決定するために、タイミングピックオフ回路１５６が使用される。タイミングピックオフ回路１５６は、タイムスタンプにＰＭＴから受信した検出されたパルス信号の特定の特性を割り当てる。例えば、本特性は、パルス開始時間、パルスピーク値時間、またはパルスが所定の電圧を超える時間であり得る。タイミングピックオフの一般的な技術の２つは、リーディングエッジおよび定フラクションデスクリミネータ（ＣＦＤ）である。リーディングエッジは、単に、パルスがある一定の閾値電圧を越えた時を決定する。これは、交差を検出するアナログ回路を必要とする。本技術の欠点は、閾値に達する時間がパルスの振幅に依存することである。本効果は、トリガーレベルが高いほど悪化する。
【００４６】
ＰＥＴシステムのタイミングピックオフの現代の技術は、パルス振幅変動に影響を受けないため、アナログＣＤＦを用いて実行される。ＣＤＦは、以下の方程式の回路を実装し、
ｈ（ｔ）＝δ（ｔ−Ｄ）−ＣＦ・δ（ｔ）
式中、δ（ｔ）は、着信信号である。方程式は、アナログパルスを２つのコピーに分岐し、Ｄにより１つのコピーを遅延することにより計算される。もう一方のコピーは、反転され、定フラクションにより減弱される（典型的には、約０．２）。最後に、２つの変更されたコピーは、検出およびタイムスタンプされ得るゼロ交差を備えるパルスを生成するように足される。ゼロ交差は、同一形状を有するパルスのパルス振幅の定フラクションで生じる。ＣＦＤおよびリーディングエッジの両方は、典型的には、専用ＡＳＩＣで行われ、トリガーをタイムスタンプに変換する回路を必要とする。ＣＦＤは、サブナノ秒タイミング分解能を達成可能である。
【００４７】
（タイミングピックオフ法）
方法は、パルスの開始を計算し、これによってサブサンプル採取分解能を達成するようにパルスの既知の特徴を使用するために、本明細書に開示される。例えば、ＬＳＯシンチレータ結晶において、立ち上がり時間は、ＰＭＴの反応により抑制されるが、減衰時間は、シンチレーション結晶の機能である。これらの仮説に基づき、パルスの開始時間は、理想的なパルスをサンプル採取されたパルスにあてはめ、パルスの開始点を補間するように理想的なパルスを使用することにより決定され得る。
【００４８】
実際のデータで本タイミングアルゴリズムを試験するために、２５Ｇｓ／ｓオシロスコープが、ＬＳＯ結晶に連結されたＰＭＴからの１９のパルスをサンプル採取するために使用された。パルスを生成するために、５１１ＫｅＶ（２２Ｎａ）光源を使用した。オシロスコープからのデータは、次いで、ＭＡＴＬＡＢ（登録商標）に取り込まれた。
【００４９】
パルスデータに良好な合致を提供するモデル極点は、例えば、
【００５０】
【数１】
0005667446.tif 000002
の２つの指数関数曲線である。
【００５１】
最初のステップとして、本出願人らが２つの指数関数（１つは立ち上がりエッジ、１つは立ち下りエッジ）を有するパルスを生成し、最良の最小二乗適合を生成した振幅、時間変化、減衰指数関数、および立ち上がり指数関数を求めた場合、本出願人らは理想的なパルスを定義し、パルスの開始点を補間するようにパルスを使用し得ると、本出願人らは仮定した。本「強制」法を使用すると、タイミングピックオフの標準偏差は、７０ＭＨｚ  ＡＤＣで１．０ｎｓであった。これは良好なタイミング分解能であるが、ＦＰＧＡがリアルタイムで計算するためには、探索空間が非常に大きすぎる。「強制」法から、本出願人らは、立ち上がり時間が、０．１〜０．５ｎｓの範囲、減衰時間が２８〜３８ｎｓの範囲、振幅が０．０８２〜０．１８５Ｖの範囲であったことを発見した。妥当な時間ステップ（約４０ｐｓ）のこれらの範囲を網羅するためには、最小二乗適合が計算され、各パルスにおいて少なくとも２１５，０００回（１１減衰時間ステップ、５立ち上がり時間ステップ、１１振幅ステップ、および３５７時間ステップ）比較される必要がある。
【００５２】
より効率的なＦＰＧＡに基づくアルゴリズムおよび方法を展開するために、第１にＰＭＴ／ＳｉＰＭパルスの立ち上がり、および減衰時間τＲ，τＦが一定であり、かつパルスの可変性がパルス振幅およびホワイトノイズからであることを想定する。
【００５３】
例えば、本出願人らの試験装置において、全てのフィルタにかけられない、サンプル採取されないデータの最良の最小二乗適合を与えた立ち上がりおよび減衰時間は、それぞれ、３１０ｐｓおよび３４．５ｎｓであった。「強制」法を用いた一定の立ち上がりおよび減衰時間を使用することにより、タイミングピックオフの標準偏差は、１．１ｎｓに低下する。しかしながら、時間一定探索を排除した後でさえ、ほぼ４，０００探索が、依然として、各事象に対して必要とされるだろう。
【００５４】
さらに方法を簡略化するために、本出願人らは、パルスの面積と振幅との間の直接相関を使用して、基準パルス（２つの指数関数方程式により定義される）と着信データパルスの振幅との差を排除する。図６に示すように、検出されたパルスの面積とパルスの振幅との間に、良好な直接相関１７０がある。事象の振幅を基準パルスに正規化するために、事象パルス面積に対する基準パルスの比率が計算される。事象パルスは、次いで、基準パルスおよび事象パルスの振幅を均一にするように、比率により計られる。例えば、デジタル化された事象パルスの面積が計算され、理想的な基準パルスの面積と比較されてもよい。事象パルスサンプル点は、次いで、２つの面積に従って計られるか、または正規化され得る。正規化されたデジタル事象パルスは、次いで、正規化された事象パルス値を基準パルスと比較することにより、事象パルスの開始時間を推定するために使用されてもよい。
【００５５】
面積を振幅に変換するための関数は、多数の異なる開始点を有する１９のパルスのそれぞれをサンプル採取すること、および各サンプル採取に対して得られた面積をその完全なパルスに対する既知の振幅と相関させることによって決定される。本推定を使用することにより、タイミングピックオフの標準偏差は、１．２ｎｓに低下する。
【００５６】
これらの２つの近似値を使用することにより、強制探索の大半の要因は、２０％のタイミング分解能のみの損失で排除される。しかしながら、アルゴリズムは、それぞれの実行可能なタイミングオフセットに対する探索をまだ必要３５７とするだろう。パルスデータが既知の立ち上がりおよび減衰時間を有する基準曲線に適合し、振幅がパルス面積から計算される場合、強制探索は、逆引きに変換されてもよい。
【００５７】
例えば、約２×１０−７秒の長さの、７０ＭＨｚでサンプル採取された、約１３のサンプル点を生じるパルスを検討する。それぞれの実行可能な入力電圧において、基準パルス上で起こる時間は、事前に計算される。しがたって、それぞれの着信電圧は、簡単なメモリ操作を伴うタイミングオフセットに変換され得る。これは、各パルスに対して行われるため、検索後、任意の、または全ての１３のサンプル点は、パルスが開始された時間を推定するために使用され得る。これらの１３の開始時間が平均化される場合、タイミング分解能は、２．８４ｎｓに著しく低下する。
【００５８】
本出願人らの検索方法からの結果を詳しく検証した後、いくつかのサンプル点は、他より非常に最適な結果であることが明らかになった。これは、１３のサンプル点のそれぞれに対して計算された開始時間の標準偏差１８０をプロットする、図７に示される。図７から、標準偏差１８０は、フィルタをかけられたパルス１８２のスロープおよびパルス開始からの距離と相関する。ピーク近くの点（サンプル４および５）は、緩やかなスロープを有し、したがって、電圧のわずかな変化は、大きな時間変化を生じる。パルスの尾も大きな偏差を有する。しかしながら、第１のサンプル点のみが使用される場合、タイミングピックオフの標準偏差は、「強制」法と実質的に等しい、１．０３ｎｓである。
【００５９】
本情報を使用することにより、逆引きステップは、検出されたパルスに０．００５Ｖ以上の第１のサンプル点のみを使用するように変更された。しかしながら、遅い立ち上がり時間を伴うより速いＡＤＣまたはパルスを用いて、より多くのサンプル点が、最適な最終結果を得るように平均化され得るか、さもなければ相関され得る。
【００６０】
したがって、現在のタイミングアルゴリズムは、１つの減衰定数、１つの立ち上がり定数を使用し、面積からパルス振幅を算出し、第１のサンプル用に電圧・時間検索を使用する。試験において、本アルゴリズムは、わずか１．０３ｎｓのタイミングピックオフの標準偏差を生成する。７０ＭＨｚ  ＡＤＣに対する、最終アルゴリズムの分布を図５に示す。第１のサンプル点のみの使用は、非常に良好な結果を生成するが、いくつかの状況において、ピックオフ推定は、１つ以上のサンプル点の加重平均を使用することにより改良されてもよいことが、当業者には容易に明らかであろう。例えば、本発明の別の実施形態において、最初の２つまたは３つのサンプル点は、タイミングピックオフの一貫性をさらに改良するように、実験的に引き出された加重を用いて使用されてもよい。
【００６１】
タイミングアルゴリズムの実行構造を図８に示す。ＳｉＰＭ等のＰＭＴ２００は、シンチレータからのパルス信号を受信し、典型的にはローパスフィルタ２０２（滑らかなノイズ２０２’により表される）でフィルタにかけられる出力パルス（ノイズ信号２００’により表される）を生成し、次いで、ＡＣＤ２０４（デジタル信号２０４’により表される）を用いてデジタル化される。デジタル信号２０４’は、ＦＰＧＡ２０６に送信される。ＦＰＧＡ２０６は、検出された信号の面積を計算するようにコード化され、面積／振幅相関は、信号振幅２０８を推定するために使用される。信号は、次いで、基準パルスの面積に正規化され得る２１２。デジタル信号２０４’から選択されたデータ点（または一連の点）、例えば、特定の電圧に対する第１の点は、次いで、検出されたパルスの正確な開始時間２１６を決定するために使用される、基準パルス曲線２１４を見出すために逆引き２１２で使用される。
【００６２】
７０ＭＨｚ  ＡＤＣを用いる開示されたアルゴリズムは、アナログＣＦＤ法よりわずかに低いタイミング分解能を生成する場合があるが、ＡＣＤ技術が改良されるにつれてタイミング分解能も改良されることに留意されたい。ＣＦＤの分解能が技術（ＣＦＤ性能は、過去１０年以上ほぼ一定である）を用いて計られない場合、本発明のアルゴリズムは、５００ＭＨｚ  ＡＤＣ（現在、平行ＡＤＣで利用可能であるが、すぐにシリアルＡＤＣが期待される）を用いたＣＦＤ法を上回ると予想される。
【００６３】
本発明の方法が、タイミング分解能でＣＦＤと一致しない状況においても、ＣＦＤ法は、一定のＡＳＩＣで、チャネルごとのカスタム論理を必要とすることを理解されたい。提示される全てのデジタル法は、例えば１２８、ＦＰＧＡごとのチャネルを含んでもよい、ＰＥＴスキャナにおいて実質的である本代償を回避する。
【００６４】
要約すると、ＰＥＴは、ＦＰＧＡに非常に適する用法である。ＦＰＧＡは、デジタルタイミング等のアルゴリズムの開発に理想的であるが、これらは、また、ＰＥＴに対する高度なデータ収集および処理システムに必要な大半の部分を提供する。本発明のシステムは、マイクロプロセッサの制御下で、スキャナの異なる部分の変化、およびより多くのチャネル処理を可能にする高速シリアルＡＤＣと連結される高度な入力／出力に適応するように、ゲインおよびセットレジスタを調節できる調整アルゴリズムを開発するためのＦＰＧＡの再構成可能性を利用する。これらのチャネルは、また、スキャナが処理可能なカウント率を増大する、再構成可能な布地で、並行して処理され得る。初期時代に対する現代のＦＰＧＡの計算能力の向上は、本出願人らのＦＰＧＡにおけるタイミングの実行と、ＡＳＩＣの排除を可能にする。
【００６５】
現在および将来のＡＤＣ技術を合わせた時に、今の現代技術水準アプローチより最適なタイミング分解能を実証する、新規、全デジタルタイミングピックオフ機構も開示する。現在のＦＰＧＡの多くの特徴は、重要な電子分野で、完全で複雑な信号処理を支持するように利用され得る。
【００６６】
上述の方法は、非常に良好なタイミングピックオフの結果を生成するが、タイミングピックオフは、上述の振幅正規化およびタイミング検索技法を維持しながら、適切な基準パルスを決定する代替方法を使用することにより、さらに改良されてもよい。代替方法において、ＦＰＧＡは、多数の事象パルスを捕捉して保存するように構成され、基準パルスを形成するようにこれらのパルスを利用する。特に、捕捉されたデータは、振幅およびサブサンプル採取速度時間変更（すなわち、パルスサンプル間隔に対するパルス開始時間）を変えることにより分散される。２ステッププロセスは、複合基準パルスを形成するために使用される。第１に、受信されたパルスは、上述のように正規化され、初期基準パルスは、データを平均化することにより生成される。次いで、パルスは、全ての曲線が最適に相関されるまで反復さえされる、時間の変更により本基準パルスにアライメントされる。アライメントされたパルスは、次いで、最終基準パルスを形成するために使用され得る。最終基準パルスは、次いで、上述の２つの指数関数基準パルス曲線の代わりに使用されてもよい。
【００６７】
検出されたアナログパルス信号を正確にかつデジタル推定するための開示された方法は、ポジトロン放出断層撮影法のために開発されたが、一般的な方法が、他の状況のパルス信号の開始時間を非常に正確に推定するために使用されてもよく、したがって、本方法が、高速事象開始情報が所望される他の用途での使用に適切であると考えられることは、当該分野に精通した者には明らかであろう。
【００６８】
例示的実施形態が図示され、説明されたが、様々な変更が本発明の精神および範囲から逸脱することなくここに行われ得ることを理解されたい。
【００６９】
独占的所有権または特権が特許請求される本発明の実施形態は、以下の通り定義される。
【図１】
0005667446.tif 000003
【図２】
0005667446.tif 000004
【図３】
0005667446.tif 000005
【図４】
0005667446.tif 000006
【図５】
0005667446.tif 000007
【図６】
0005667446.tif 000008
【図７】
0005667446.tif 000009
【図８】
0005667446.tif 000010